(57)【要約】【課題】遊技機の新規交換時に交換する部材をユニット化して遊技盤の交換作業を簡単にし、同時に、主制御基板を外から視認可能にしてゴトの発見を容易にする。【解決手段】遊技盤２０が着脱自在に取付けられた本体枠１１と、本体枠１１に開閉自在に取付けられたガラス扉１４及び下扉１５とを備える。遊技の基本動作を制御する制御回路を有する主制御基板３５は、遊技盤２０の下方に配置され、下扉１５が開放されたときに露呈する。主制御基板３５は、遊技盤２０に着脱自在に取付けられた基板保持部材３３に収納され、前側となる天面が遊技盤面２２と面一である。下扉１５は、透明窓４２が形成された受皿４０を備え、透明窓４２を通して主制御基板３５が視認可能である。液晶表示装置３２は、遊技盤２０の背面側に配置され、遊技領域３１に形成された開口２３ａを通して前面側から視認可能に本体枠１１に固定され、一部が本体枠１１の背面側に露出している。【選択図】図３
2009045306.tif 000002
【特許請求の範囲】
【請求項１】
遊技盤が着脱自在に取付けられた本体枠と、
前記本体枠に開閉自在に取付けられた前面扉と、
遊技の基本動作を制御し、前記遊技盤の下方に配置されて、前記前面扉を開放したときに露呈する主制御基板と、
を備えたことを特徴とする遊技機。
【請求項２】
遊技球を受容し、少なくとも一部に透明部分が形成された受皿を備え、
前記主制御基板が前記透明部分を通して視認可能であることを特徴とする請求項１記載の遊技機。
【請求項３】
前記本体枠の背面側に露出するように前記本体枠に固定され、前記遊技盤の遊技領域に形成された開口を通して前面側から視認可能な液晶表示装置を備えたことを特徴とする請求項１または２記載の遊技機。
【請求項４】
前記主制御基板は、前記遊技盤に着脱自在に取り付けられた基板保持部材に収納され、
前側となる天面が前記遊技盤の盤面と面一であることを特徴とする請求項１ないし３いずれか記載の遊技機。
【発明の詳細な説明】
【技術分野】
【０００１】
本発明は、遊技場に設置して使用される遊技機に関するものである。
【背景技術】
【０００２】
一般に、遊技機（パチンコ機）は、本体枠の前面を覆い開閉自在に取付けられた前面扉が設けられている。その上部前面には、本体枠に取付けられた遊技盤の遊技領域が視認可能にガラス板が設けられ、下部前面には遊技にともなって払い出された遊技球や貸与を受けた遊技球を受容する受皿を備えている。前面扉を開放すると、上部に前記遊技盤が取付けられ、下部には遊技盤の遊技領域にパチンコ球を発射する発射装置が設けられている。発射装置のメンテナンス作業は前面扉を開放して行われる。下記特許文献１には、このような構成のパチンコ機が開示されている。
【０００３】
下記特許文献２には、前記前面扉を上扉と下扉で構成し、受皿の設けられた下扉が開放されると前記発射装置が露呈され、下扉が閉じられると発射装置が覆われる構成が示されている。
【０００４】
また、パチンコ機の寿命は短く、頻繁に新しい機種への入れ替えが行われる。下記特許文献３に記載されたパチンコ機は、遊技盤をパチンコ球案内部材が設けられた支持体と遊技領域規制枠ユニットとにより挟持された遊技盤ユニットを備え、制御回路基板やＬＣＤ表示装置とともに本体枠に取付けられている。パチンコ機の機種替えの際には、遊技盤ユニットや制御回路基板、ＬＣＤ表示装置などを一括して本体枠から取り外した後に、これらを分解し、遊技盤ユニットを交換する方法が示されている。また、下記特許文献４に記載されたパチンコ機では、本体枠から遊技盤ユニットを取り外して分解し、遊技盤を交換する際に、ＬＣＤパネルを古い遊技盤から取り外し新しい遊技盤に取付けて使用している。
【特許文献１】特開２００４−２８３４１１号公報
【特許文献２】特開２００７−０４４１１４号公報
【特許文献３】特開２００４−１８７８７６号公報
【特許文献４】特開２００４−１８７８７５号公報
【発明の開示】
【発明が解決しようとする課題】
【０００５】
上述のように、パチンコ機（遊技機）を構成する部品には共通部品が多く、交換する必要のないものは残して交換することにより部品のコストアップを抑えているが、分解および再組立を行う交換作業に多くの時間を必要とするため作業コストがより多くかかっている。
【０００６】
また、前記主制御基板は、遊技盤の後方に配置された液晶パネルや球通路ユニットなどの更に背面側に配置されているので、主制御基板に不正な改造を施されたり、改造ＲＯＭを接続されたりしても、店の者が直ぐには気づき難いという問題があった。
【０００７】
本発明は、上記複数の課題を一度に解決するためのもので、遊技機の新規交換を行うにあたり交換する部材のみでユニットを構成することで遊技盤の交換作業を簡略化し、同時に、主制御基板の点検・確認作業を簡単に行えるようにしてゴトの発見を容易にすることを目的とする。
【課題を解決するための手段】
【０００８】
本発明による遊技機は、遊技盤が着脱自在に取付けられた本体枠と、前記本体枠に開閉自在に取付けられた前面扉と、遊技の基本動作を制御する制御回路を有する主制御基板を備える。主制御基板は、前記遊技盤の下方に配置され、前記遊技盤に着脱自在に取付けられた基板保持部材に収納される。主制御基板の前側となる天面は、前記遊技盤の盤面と面一である。主制御基板は、前記前面扉を開放したときに露呈する。
【０００９】
前記前面扉の下方に配置されて遊技球を受容する受皿を備え、該受皿は、透明部分が形成され、該透明部分を通して前記主制御基板が視認可能である。また、前記本体枠の背面側に露出するように前記本体枠に固定され、前記遊技盤の遊技領域に形成された開口を通して前面側から視認可能な液晶表示装置を備える。
【発明の効果】
【００１０】
本発明による遊技機は、機種替えの際に、遊技盤や主制御基板などによる遊技盤ユニットのみを交換するだけで良く、遊技盤ユニットの分解、再組立を行わないので交換作業が簡単で、コストダウン効果が大きい。
【００１１】
また、受皿全体を透明樹脂で成形する、あるいは奥側の壁または底部など少なくとも一部を透明にすることによって、受皿の設けられた前面扉を開放しなくても、透明部分を通して受皿の裏側に配置された主制御基板を視認することが可能となるので、遊技者による遊技中であっても、前記主制御基板への不正を発見し易くなる。
【００１２】
また、前面扉の裏側にはパチンコ球の発射装置が設置されており、この発射装置は頻繁に清掃・メンテナンスをする必要があるので、前面扉の開閉が頻繁に行われ、前面扉を開閉する度に、前記主制御基板の状態を詳細に目視確認することができ、不正な加工や処理が施された場合には早く発見することができる。前記主制御基板の前側となる天面が遊技盤の盤面と面一になるように前記主制御基板を前記遊技盤に取り付けたことで、発射装置と遊技盤を繋ぐ発射通路が前記主制御基板の前側に配置される場合であっても、前記発射通路と前記遊技盤が段差なく接続することができるので、前記発射装置はパチンコ球を前記遊技盤まで円滑に打ち出すことができる。
【００１３】
前記主制御基板を遊技盤ユニットの背面側から遊技盤ユニットの下方へ移動させたことによって、遊技盤の直後に配置されていた液晶ユニットを更に後方の最深部に配置することができ、遊技盤と液晶ユニットの間に大きなスペースが得られて、センタ役物をレイアウトする時の自由度が増える、といった効果も発生する。
【発明を実施するための最良の形態】
【００１４】
図１及び図２に示すように、パチンコ機（遊技機）１０は、本体枠１１と、本体枠１１を覆う前面扉１２と、本体枠１１の内部に着脱自在に設けられた遊技盤ユニット１３によって構成される。前面扉１２は、本体枠１１の上部前面を覆うガラス扉１４と下部前面を覆う下扉１５とからなり、本体枠１１に設けられたヒンジ部材１６によって本体枠１１に対して開閉自在に軸支され、下扉１５は、ガラス扉１４を開放した後でないと開くことができない構造となっている。ガラス扉１４は、前面にガラス板１８が設けられ、遊技盤２０の遊技領域３１を流下するパチンコ球（遊技球）を、ガラス板１８を通して視認可能となっている。ガラス扉１４は、通常は施錠装置２１によって施錠されており、鍵等によって施錠を解除することによって開放が可能になっている。
【００１５】
遊技盤２０の盤面（以下、遊技盤面という）２２上に、中央に開口２３ａを備えたセンタ役物２３、および通過チャッカ２４、始動チャッカ２５、通常チャッカ２６、アタッカ２７、アウト口２８などの他、図示しない障害釘や風車などが設けられている。これら構造物の外周をレール枠３０に設けられたレール部３０ａで仕切ることで、レール部３０ａの内部の空間が遊技領域３１となる。
【００１６】
センタ役物２３の裏面側には前記本体枠１１に固定された液晶表示装置３２が配置され、液晶表示装置３２が表示する入賞時の電子抽選の図柄や遊技中の演出画像などが、センタ役物２３の中央に設けられた開口２３ａを通して前面から視認できる。
【００１７】
図３および図４に示すように、前記遊技盤２０とレール枠３０と基板保持部材３３によって前記遊技盤ユニット１３を構成する。基板保持部材３３は、遊技盤２０の下方に取付けられ、前記下扉１５に覆われる位置に配置される。基板保持部材３３には、遊技の基本動作を制御する主制御基板３５および前記液晶表示装置３２や前記ガラス扉１４に設けられたスピーカ３６やランプ３７などの演出効果用装置を制御する副制御基板３８が設けられている。主制御基板３５および副制御基板３８の天面３５ａおよび３８ａは、組み付けられた状態では前側になり、その前後方向の位置は遊技盤面２２と同じである。
【００１８】
図１および２に戻って、下扉１５は、前面に払出されたパチンコ球や図示しない球貸し機から貸与を受けたパチンコ球を受容する受皿４０が設けられている。受皿４０の奥側の内壁面には払出口４１が設けられ、払出口４１から賞球が払い出される。払出口４１の横の壁は一部が透明であり、その透明部分が透明窓４２を形成している。また、下扉１５の右下にはパチンコ球を一球ずつ前記遊技領域３１に打ち出すとともにその打ち出し強さを調節する発射ハンドル４３を備えている。発射ハンドル４３が回わされると、発射装置４５が作動してパチンコ球が打ち出される。パチンコ球の打ち出し強さは、発射ハンドル４３の回転量に基づいて決まる。なお、発射装置４５には、パチンコ球の発射が行われたことを検知する発射センサ（図示せず）が設けられている。
【００１９】
遊技領域３１に打ち出されたパチンコ球が各種入賞口に入ると規定個数の賞球の払い出しが行われる。また、当たり抽選が行われ液晶表示装置３２が作動する。液晶表示装置３２には３個の図柄が並列に並べて表示されている。図柄は数字の「０」〜「９」を示す１０種類の図柄からなる。図示しない始動チャッカにパチンコ球が入賞すると液晶表示装置３２のこれらの図柄が変動し、後に停止する。停止した時に表示された図柄の組み合わせによって当たり抽選の結果が当たり又はハズレのいずれであったかが表示される。同一の数字が３つ揃う図柄の組み合わせは当たりとなり、それ以外の組み合わせはハズレとなる。
【００２０】
図３に進んで、遊技盤ユニット１３は、遊技盤２０に形成された遊技領域３１の外側の四方には本体枠１１に取付けるための取付孔４７が設けられ、本体枠１１には、遊技盤ユニット１３を取付けるためのノブ４８が前記取付孔４７に対応した位置に設けられ、前記ノブ４８の形状は前記取付孔４７の形状に相似しているので、前記ノブ４８を前記取付孔４７に貫通させて、前記本体枠１１に前記遊技盤ユニット１３を取付けた後に前記ノブ４８を９０度回転させることで前記遊技盤ユニット１３が前記本体枠１１に固定される。９０度回転させて前記遊技盤ユニット１３を固定した後はカバー４９が被せられる。
【００２１】
図４に示すように、前記基板保持部材３３に取付けられた主制御基板３５は、前記受皿４０に設けられた透明窓４２（図１参照）に近接して対向する位置に配置される。これによって、前記主制御基板３５は、遊技中であっても透明窓４２を通して外部より視認することが可能である。
【００２２】
液晶表示装置３２は、パチンコ機１０が使用可能なスペース内で前記遊技盤２０から最大限に離して前記背板１１ａに貫通して取付けられている。副制御基板３８は、主制御基板３５および液晶表示装置３２との間をコネクタ付きコード５１および５２（図４参照）によって接続されている。
【００２３】
次に、パチンコ機を新しいものに取り替える場合について説明する。パチンコ機１０の遊技内容、つまり個々のパチンコ機特有の遊技の基本デザインおよびストーリは前記遊技盤２０および前記主制御基板３５と前記副制御基板３８とに備えられており、遊技盤ユニット１３に集約されている。
【００２４】
前記施錠装置２１を開錠して前記ガラス扉１４および下扉１５を開放する。本体枠１１のノブ４８を覆っているカバー４９をあけてノブ４８を露呈させ、ノブ４８を９０°回す。本体枠１１から遊技盤ユニット１３を外して、液晶表示装置３２に接続されたコード５２のコネクタを副制御基板３８から引き抜く。遊技盤ユニット１３が完全に外れたら、新しい遊技盤ユニット１３の組付けに掛かる。
【００２５】
先ほど外したコード５２のコネクタを新しい遊技盤ユニット１３のコネクタに差し込む。新しい遊技盤ユニット１３の取付孔４７を前記ノブ４８に嵌合させ、ノブ４８を９０°回して遊技盤ユニット１３を固定する。下扉１５を閉じた後にガラス扉１４を閉じて前記施錠装置２１を施錠する。
【００２６】
このように、本発明によるパチンコ機の新規交換は遊技盤ユニット１３を交換するだけで良いので非常に簡単で交換作業は短時間で終了する。
【００２７】
次に、上記構成による別の作用について説明する。パチンコ機の遊技者の中には遊技中にパチンコ機に違法な改造を加えて多くの球を出す不正行為所謂ゴトを行う者がいる。このゴトは出球率を変えたり当たりのタイミングを変えたりすることによって多くのパチンコ球を得ようとするのであるから、前記主制御基板３５を取り替えたり加工したりする。本発明のパチンコ機１０では、この主制御基板３５が受皿４０の内側に配置されており、受皿４０の透明窓４２を通して外部より視認可能になっているため、例え遊技者による遊技中であっても主制御基板３５の状態を確認することが出来る。これにより店従業員によって常時監視することができ、例えゴトが行われたとしても直ちに発見することができ、被害を最小限にすることができる。
【００２８】
また、一般にパチンコ機ではパチンコ球の発射装置４５を頻繁に清掃およびメンテナンスする必要がある。発射装置４５のメンテナンス作業を行うには、先ずガラス扉１４の施錠装置２１を開錠してガラス扉１４を開放した後、下扉１５を開放する。下扉１５を開放すると発射装置４５が露呈する。このとき、発射装置４５の横には主制御基板３５が配置されているので、主制御基板３５にゴトが行われていた場合は、特に意識しなくても気が付くし、意識してチェックするのにも少しの時間で事足りる。このように、遊技盤ユニット１３などを本体枠１１から外すこともなく、頻繁に行う発射装置４５のメンテナンス時に、ついでに時間を掛けずにチェックすることができる。
【００２９】
更に、主制御基板３５を下扉１５の内側のスペースに移動したことによって、液晶表示装置３２を前記遊技盤２０から離して配置することができ、しかも前記背板１１ａに貫通して取付けられているので、遊技盤２０と液晶表示装置３２の間のスペースを最大限大きく確保することができ、液晶表示装置３２の前側に配置されるセンタ役物２３に使用することができるスペースが拡大され、センタ役物２３の設計自由度が大きくなる。
【００３０】
次に、別の実施形態について説明する。図５に示すように、パチンコ機（遊技機）５０は、遊技領域３１の右下に発射装置５５が設けられ、遊技盤ユニット５３は、基板保持部材５４が遊技盤２０に対して左下に設けられている。基板保持部材５４およびこれに取り付けられた主制御基板３５、副制御基板３８は、遊技盤面２２に対して後側に配置され、主制御基板３５の前側となる天面３５ａおよび副制御基板３８の天面３８ａが、遊技盤面２２と面一となっている。下扉１５には発射通路５６が設けられ、発射通路５６は、下扉１５が閉じ位置にある時に、遊技盤２０の発射口５７と発射装置５５とを連結する。発射口５７は遊技領域３１にパチンコ球を発射する開口であるから当然に遊技盤面２２の前側に設けられ、それに接続された発射通路５６は前記主制御基板３５の前側に設けられる。
【００３１】
このように発射装置５５と遊技盤２０とを繋ぐ発射通路５６が前記主制御基板３５の前側に配置される場合であっても、主制御基板３５を天面３５ａが遊技盤面２２と面一になるように前記遊技盤２０に取り付けたことによって、前記発射通路５６と前記遊技盤面２２との間を段差なく接続することができ、前記発射装置５５はパチンコ球を円滑に前記遊技領域３１に打ち出すことができる。
【００３２】
上記実施形態では、発射通路５６を主制御基板３５の前側に設けたが、主制御基板３５ではなく副制御基板３８の前側に設けても良い。あるいは主制御基板３５と副制御基板３８の両方に跨って設けても良い。
【００３３】
上記実施形態では、発射装置５５を本体枠１１に設け、発射通路５６を下扉１５に設けたが、発射装置５５を発射通路５６とともに下扉１５に設けても良い。
【００３４】
上記実施形態では、副制御基板３８を、主制御基板３５とともに基板保持部材３３に設けたが、遊技盤ユニット１３，５３の背面側に設けても良い。
【００３５】
上記実施形態では、遊技盤ユニット１３，５３を本体枠１１に設けた４つのノブ４８によって固定したが、ガラス扉１４のようにヒンジ部材を用いても良い。
【００３６】
上記実施形態では、発射装置４５，５５を本体枠１１に設けたが、下扉１５に設けても良い。
【図面の簡単な説明】
【００３７】
【図１】パチンコ機を前から見た斜視図である。
【図２】ガラス扉と下扉を開放したときの斜視図である。
【図３】遊技盤ユニットを外したときの分解斜視図である。
【図４】本発明の要部を説明する断面図である。
【図５】別の実施形態のパチンコ機を前から見た斜視図である。
【符号の説明】
【００３８】
１０，５０  パチンコ機（遊技機）
１１  本体枠
１２  前面扉
１３，５３  遊技盤ユニット
１４  ガラス扉（前面扉）
１５  下扉（前面扉）
２０  遊技盤
２２  遊技盤面（遊技盤の盤面）
２３  センタ役物
２３ａ  開口
３１  遊技領域
３２  液晶表示装置
３３，５４  基板保持部材
３５  主制御基板
３５ａ，３８ａ  天面
３８  副制御基板
４０  受皿
４１  払出口
４２  透明窓
４５，５５  発射装置
５６  発射通路
【図１】
2009045306.tif 000003
【図２】
2009045306.tif 000004
【図３】
2009045306.tif 000005
【図４】
2009045306.tif 000006
【図５】
2009045306.tif 000007